(57)【要約】【課題】 定格容量が異なる場合でも対応可能とすることで、部品数の増加を抑えるとともに、小容量用の保持器の重量の低減を可能としたスラストころ軸受用保持器およびこれを備えたスラストころ軸受を提供する。【解決手段】  スラストころ軸受用保持器11は、２種類の大きさのポケット24,25を有しており、これらのポケット24,25は、交互に配置された周方向幅の小さいポケット24と周方向幅の大きいポケット25とからなる。周方向幅の小さいポケット24にころ12が配置され、周方向幅の大きいポケット25は空とされている。【選択図】    図３
2012167728.tif 000002
【特許請求の範囲】
【請求項１】
ころを収容する複数のポケットが設けられたスラストころ軸受用保持器であって、複数のポケットは、１本の所定径のころを収容し得る所定数の周方向幅の小さいポケットと、複数の所定径のころまたは前記所定径よりも径が大きい１本のころを収容し得る所定数の周方向幅の大きいポケットとからなることを特徴とするスラストころ軸受用保持器。
【請求項２】
周方向幅の大きいポケットは、２本の所定径のころを収容可能な大きさとされていることを特徴とする請求項１のスラストころ軸受用保持器。
【請求項３】
複数のころと、ころを収容する複数のポケットを有する保持器とを備えているスラストころ軸受において、保持器が請求項１または２のスラストころ軸受用保持器とされるとともに、所定数の周方向幅の小さいポケットにころが配置され、所定数の周方向幅の大きいポケットは空とされていることを特徴とするスラストころ軸受。
【請求項４】
複数のころと、ころを収容する複数のポケットを有する保持器とを備えているスラストころ軸受において、保持器が請求項２のスラストころ軸受用保持器とされるとともに、所定数の周方向幅の小さいポケットに１本のころが配置され、所定数の周方向幅の大きいポケットに２本のころが配置されていることを特徴とするスラストころ軸受。
【発明の詳細な説明】
【技術分野】
【０００１】
この発明は、スラストころ軸受用保持器およびこれを備えたスラストころ軸受に関する。
【背景技術】
【０００２】
複数のころと、ころを収容する複数のポケットを有する保持器とを備えているスラストころ軸受は、よく知られており、従来、その保持器の複数のポケットは、１本の所定径のころを収容し得る同じ大きさのものとされている（特許文献１）。
【０００３】
この種のスラストころ軸受では、定格容量に応じてころの径や数が設定されるようになっており、したがって、保持器の内径および外径が同じであっても、例えばころの径（ポケットの周方向幅）が相対的に大きい大容量用の保持器と、ころの径（ポケットの周方向幅）が相対的に小さい小容量用の保持器とは、異なる形状とされていた。
【先行技術文献】
【特許文献】
【０００４】
【特許文献１】特開２００５−３１５２８９号公報（その図１）
【発明の概要】
【発明が解決しようとする課題】
【０００５】
上記従来のスラストころ軸受では、定格容量に応じて保持器の形状が異なることになり、部品数が増加するという問題があった。
【０００６】
また、小容量用の保持器では、ポケットが小さいことから、保持器の質量が大きくなり、保持器の重量が増加するという問題があった。
【０００７】
この発明の目的は、定格容量が異なる場合でも対応可能とすることで、部品数の増加を抑えるとともに、小容量用の保持器の重量の低減を可能としたスラストころ軸受用保持器およびこれを備えたスラストころ軸受を提供することにある。
【課題を解決するための手段】
【０００８】
この発明によるスラストころ軸受用保持器は、ころを収容する複数のポケットが設けられたスラストころ軸受用保持器であって、複数のポケットは、１本の所定径のころを収容し得る所定数の周方向幅の小さいポケットと、複数の所定径のころまたは前記所定径よりも径が大きい１本のころを収容し得る所定数の周方向幅の大きいポケットとからなることを特徴とするものである。
【０００９】
周方向幅の大きいポケットは、その周方向幅が周方向幅の小さいポケットの周方向幅のちょうど２倍とされることで、周方向幅の小さいポケットに収容されるころと同じ径のころを２本収容し得るものであることが好ましいが、これに限定されるものではなく、周方向幅の小さいポケットに収容されるころの径よりも大きい径のころを１本だけ収容し得るものであってもよい。また、周方向幅の小さい所定数のポケットと周方向幅の大きい所定数のポケットとは、通常、１つおきの交互に配置されているものとされるが、いずれか一方のポケットを２つ１組にして、他方のポケット１つと交互に配置されているようにしてもよい。
【００１０】
この発明のスラストころ軸受用保持器は、周方向幅の小さいポケットと周方向幅の大きいポケットとを有していることで、その使用形態として、周方向幅の小さいポケットにだけころが配置されている形態と、周方向幅の大きいポケットにだけころが配置されている形態と、両方のポケットにころが配置されている形態とに使い分けが可能である。
【００１１】
したがって、この発明のスラストころ軸受用保持器によると、１つの保持器で相対的に小定格容量および相対的に大定格容量の２つの条件に対応することができ、部品数の増加を抑えることができる。また、周方向幅の小さいポケットおよび周方向幅の大きいポケットのいずれか一方にだけころが配置されている形態では、空とされたポケットが保持器を軽量化するための切除部として機能し、軽量化が可能となる。
【００１２】
この発明によるスラストころ軸受は、上記のスラストころ軸受用保持器を備えたスラストころ軸受であって、ころの配置形態が、以下のいずれかとされたものである。
【００１３】
所定数の周方向幅の小さいポケットにころが配置され、所定数の周方向幅の大きいポケットは空とされている（第１の実施形態）。
【００１４】
所定数の周方向幅の小さいポケットに１本のころが配置され、所定数の周方向幅の大きいポケットに２本のころが配置されている（第２の実施形態）。
【００１５】
所定数の周方向幅の大きいポケットにころが配置され、所定数の周方向幅の小さいポケットは空とされている（第３の実施形態）。
【００１６】
スラストころ軸受は、例えば回転軸の端面に取り付けられて回転軸とともに回転するインナレースおよび／または例えばハウジング等に取り付けられるアウタレースと一体化されて、使用されるが、その際のインナレースおよび／またはアウタレースの形状は特に限定されるものではない。保持器は、通常、インナレースおよび／またはアウタレースに対して、相対回転可能とされる。
【００１７】
ポケット以外の保持器の形状は、特に限定されるものではない。例えば、保持器は、プレス成形によって成形した１対の環状鋼板からなるものとされることがあり、また、プレス成形によって成形した１枚の環状鋼板からなるものとされることがある。プレス成形によって成形した１枚の環状鋼板からなる保持器は、径方向内方から外方に向かうに連れて何回か屈曲させられていることが好ましい。
【発明の効果】
【００１８】
この発明のスラストころ軸受用保持器およびこれを備えたスラストころ軸受によると、１つの保持器で相対的に小定格容量および相対的に大定格容量の２つの条件に対応することができ、部品数の増加を抑えることができるとともに、ポケットが保持器を軽量化するための切除部として機能する形態とすることで、保持器の重量を低減することができる。
【図面の簡単な説明】
【００１９】
【図１】図１は、この発明によるスラストころ軸受用保持器の１実施形態を示す平面図である。
【図２】図２は、同断面図である。
【図３】図３は、この発明によるスラストころ軸受の第１実施形態を示す平面図である。
【図４】図４は、同断面図である。
【図５】図５は、この発明によるスラストころ軸受の第２実施形態を示す平面図である。
【発明を実施するための形態】
【００２０】
この発明の実施の形態を、以下図面を参照して説明する。
【００２１】
図１および図２は、この発明のスラストころ軸受用保持器の１実施形態を示している。
【００２２】
スラストころ軸受用保持器(11)は、後述するスラスト軸受(1)で使用されるもので、内径側円環部(21)と、外径側円環部(22)と、これら両円環部(21)(22)の周方向に所定の間隔を隔てて掛け渡された複数の柱部(23)と、これら隣接する柱部(23)の間に形成された２種類の複数のポケット(24)(25)とを備えている。
【００２３】
保持器(11)は、薄い鋼板を素材として打ち抜き・プレス成形加工によって一体加工したもので、径方向に複数回屈曲させられており、これにより、各柱部(23)は、断面略Ｍ字状に形成されている。
【００２４】
２種類のポケット(24)(25)は、周方向幅の小さいポケット(24)と、周方向幅の大きいポケット(25)とからなる。周方向幅の小さいポケット(24)と周方向幅の大きいポケット(25)とは、同じ数（半数ずつ）とされて、交互に等間隔で配置されている。
【００２５】
周方向幅の大きいポケット(25)は、周方向幅の小さいポケット(24)の倍の周方向幅を有しており、これにより、周方向幅の大きいポケット(25)には、周方向幅の小さいポケット(24)に収容されるころを２本収容することができる。
【００２６】
図３および図４は、上記のスラストころ軸受用保持器(11)を使用したスラストころ軸受の第１実施形態を示している。
【００２７】
このスラストころ軸受(1)は、複数の針状ころ(12)と、複数の針状ころ(12)を保持するスラストころ軸受用保持器(11)とを備えている。
【００２８】
各針状ころ(12)は、軸受中心を中心として放射状に配置されるとともに、保持器(11)のポケット(24)に軸方向の両側へ抜け出さないように保持されている。
【００２９】
図３に示す第１実施形態のスラストころ軸受(1)において、所定数の周方向幅の小さいポケット(24)にころ(12)が配置され、所定数の周方向幅の大きいポケット(25)は空とされている。すなわち、スラストころ軸受(1)は、複数のポケット(24)(25)の内の半数（周方向幅の小さいポケット(24)）だけにころ(12)が配置されたものとされている。
【００３０】
第１実施形態のスラストころ軸受(1)は、小容量用としての使用に適した形態であり、この場合の周方向幅の大きいポケット(25)は、保持器(11)を軽量化するための切除部として機能しており、これにより、小容量用の保持器(11)を使用するスラストころ軸受(1)の重量増加が抑えられている。
【００３１】
図５は、上記のスラストころ軸受用保持器(11)を使用したスラストころ軸受の第２実施形態を示している。
【００３２】
このスラストころ軸受(2)は、複数の針状ころ(12)(13)(14)と、複数の針状ころ(12)(13)(14)を保持するスラストころ軸受用保持器(11)とを備えている。
【００３３】
各針状ころ(12)(13)(14)は、軸受中心を中心として放射状に配置されるとともに、保持器(11)のポケット(24)(25)に軸方向の両側へ抜け出さないように保持されている。
【００３４】
図５に示す第２実施形態のスラストころ軸受(2)において、図３に示す第１実施形態のものと相違している点は、周方向幅の大きいポケット(25)にころ(13)(14)が２本配置されている点にある。すなわち、スラストころ軸受(2)は、複数のポケット(24)(25)の全てにころ(12)(13)(14)が配置されたものとされるとともに、複数のポケット(24)(25)にそれぞれ１本ずつのころが配置されているものに比べて、ころ(12)(13)(14)の本数が１．５倍に増量されている。
【００３５】
こうして、この実施形態のスラストころ軸受(2)では、周方向幅の大きいポケット(25)がころ(13)(14)の数を増やしてスラストころ軸受(2)の定格容量を上げる必要が生じた際の追加ころ収納用ポケットとして機能し、これにより、第１実施形態のスラストころ軸受(1)およびポケットの数が同じ従来のスラストころ軸受に比べて、その定格容量が大幅にアップし、大容量用に好適なものとなっている。
【００３６】
上記の第１および第２実施形態のスラストころ軸受(1)(2)において、１つのスラストころ軸受用保持器(11)が相対的に小定格容量のもの（第１実施形態のスラストころ軸受(1)）および相対的に大定格容量のもの（第２実施形態のスラストころ軸受(2)）にそれぞれ対応させられており、これにより、部品数の増加を抑えることができる。
【００３７】
なお、図示省略するが、上記のスラストころ軸受用保持器(11)を使用したスラストころ軸受として、周方向幅の大きいポケット(25)に１本の大径のころ（周方向幅の小さいポケット(24)に配置されているころ(12)よりも大きい径のころ）が配置され、周方向幅の小さいポケット(24)が空とされている形態（第３の実施形態）とすることもできる。
【符号の説明】
【００３８】
(1)(2)        スラストころ軸受
(11)          スラストころ軸受用保持器
(12)(13)(14)  ころ
(24)          周方向幅の小さいポケット
(25)          周方向幅の大きいポケット
【図１】
2012167728.tif 000003
【図２】
2012167728.tif 000004
【図３】
2012167728.tif 000005
【図４】
2012167728.tif 000006
【図５】
2012167728.tif 000007